(57)【要約】【課題】表示装置上で情報を拡大表示した場合でも、表示情報全体のうち、どの部分を拡大表示しているかをユーザが容易に認識することが可能なデータ通信装置を提供する。【解決手段】制御部１００は、当該データ通信装置の各部を統括して制御するものであって、ＲＯＭ１０３やハードウェアディスク１０４に記録されるプログラムにしたがって、ネットワーク接続部１０１およびモデムＭＯＤを制御して、ネットワークＮＷを通じてデータ通信する制御機能や、画像／音声データ処理部１０７およびビデオ信号生成部１０８を制御して、受信した種々のデータファイルを再生したり、ホームページを閲覧する再生制御機能、時刻を計時するクロック機能などを備えるものであって、ホームページを拡大表示する場合に、その表示位置を示すガイド表示を行うようにしたものである。【選択図】    図１
2004295362.tif 000002
【特許請求の範囲】
【請求項１】
ネットワークを通じて受信した情報を表示装置に表示させるデータ通信装置において、
前記情報を拡大表示する拡大表示制御手段と、
この拡大表示制御手段によって拡大表示された情報の上に重ねて、ネットワークを通じて受信した情報のうち、前記拡大表示制御手段によって拡大表示された領域の位置を示すガイド情報を表示するガイド表示制御手段とを具備することを特徴とするデータ通信装置。
【請求項２】
前記ガイド表示制御手段は、前記ガイド情報として、位置を示すアイコンを表示することを特徴とする請求項１に記載のデータ通信装置。
【請求項３】
前記ガイド表示制御手段は、前記表示装置の表示領域をネットワークを通じて受信した情報の全体領域と見立て、前記表示装置の表示領域のうち、前記拡大表示制御手段によって拡大表示された領域に対応する位置に前記ガイド情報を表示することを特徴とする請求項１に記載のデータ通信装置。
【請求項４】
前記ガイド表示制御手段は、ユーザからの要求に応じて、前記ガイド表示を選択的に表示することを特徴とする請求項１乃至請求項３のいずれかに記載のデータ通信装置。
【請求項５】
前記ガイド表示制御手段は、前記ガイド表示を予め設定された時間だけ表示することを特徴とする請求項１乃至請求項３のいずれかに記載のデータ通信装置。
【請求項６】
前記ガイド表示制御手段は、前記ガイド表示を行っている場合に、ユーザからの指示が与えられると、前記ガイド表示を終了することを特徴とする請求項１乃至請求項３のいずれかに記載のデータ通信装置。
【請求項７】
ネットワークを通じて受信した情報を表示装置に表示させるデータ通信装置のプログラムであって、
前記情報を拡大表示する拡大表示制御手段と、
この拡大表示制御手段によって拡大表示された情報の上に重ねて、ネットワークを通じて受信した情報のうち、前記拡大表示制御手段によって拡大表示された領域の位置を示すガイド情報を表示するガイド表示制御手段として前記データ通信装置を機能させるためのプログラム。
【請求項８】
前記ガイド表示制御手段は、前記ガイド情報として、位置を示すアイコンを表示することを特徴とする請求項７に記載のプログラム。
【請求項９】
前記ガイド表示制御手段は、前記表示装置の表示領域をネットワークを通じて受信した情報の全体領域と見立て、前記表示装置の表示領域のうち、前記拡大表示制御手段によって拡大表示された領域に対応する位置に前記ガイド情報を表示することを特徴とする請求項７に記載のプログラム。
【発明の詳細な説明】
【０００１】
【発明の属する技術分野】
この発明は、例えばパーソナルコンピュータやセットトップボックス、家庭用ゲーム機など、インターネットなどのネットワークを通じた通信が可能なデータ通信装置に関する。
【０００２】
【従来の技術】
周知のように、従来のパーソナルコンピュータやセットトップボックス、家庭用ゲーム機などのデータ通信装置では、インターネットなどのネットワークを通じてホームページを閲覧するブラウズ機能を備えている。またこのブラウズ機能には、ユーザからの要求に応じて、閲覧中のホームページを拡大表示したり、あるいは縮小表示する機能を備える（例えば、特許文献１、２参照）。
【０００３】
しかしながら、ホームページなどを拡大表示した場合、表示情報全体のうち、どの部分を拡大表示しているかがユーザに容易に認識することができず、所望の情報を求めて、ユーザが表示領域を移動させる操作を繰り返す必要があり、利便性が低いという問題があった。
【０００４】
【特許文献１】
特開平１１−２６６４３７公報（第４−８頁、図１）
【０００５】
【特許文献２】
特開２００２−２３９１１公報（第３−５頁、図１）。
【０００６】
【発明が解決しようとする課題】
従来のデータ通信装置では、表示装置上で情報を拡大表示した場合、表示情報全体のうち、どの部分を拡大表示しているかをユーザが容易に認識することができないという問題があった。
【０００７】
この発明は上記の問題を解決すべくなされたもので、表示装置上で情報を拡大表示した場合でも、表示情報全体のうち、どの部分を拡大表示しているかをユーザが容易に認識することが可能なデータ通信装置を提供することを目的とする。
【０００８】
【課題を解決するための手段】
上記の目的を達成するために、請求項１に係わる本発明は、ネットワークを通じて受信した情報を表示装置に表示させるデータ通信装置において、情報を拡大表示する拡大表示制御手段と、この拡大表示制御手段によって拡大表示された情報の上に重ねて、ネットワークを通じて受信した情報のうち、拡大表示制御手段によって拡大表示された領域の位置を示すガイド情報を表示するガイド表示制御手段とを具備して構成するようにした。
【０００９】
また請求項７に係わる本発明は、ネットワークを通じて受信した情報を表示装置に表示させるデータ通信装置のプログラムであって、情報を拡大表示する拡大表示制御手段と、この拡大表示制御手段によって拡大表示された情報の上に重ねて、ネットワークを通じて受信した情報のうち、拡大表示制御手段によって拡大表示された領域の位置を示すガイド情報を表示するガイド表示制御手段としてデータ通信装置を機能させるようにプログラムを構成するようにした。
【００１０】
上記構成のデータ通信装置およびプログラムでは、拡大表示制御手段によって拡大表示された情報の上に重ねて、ネットワークを通じて受信した情報のうち、拡大表示制御手段によって拡大表示された領域の位置を示すガイド情報を表示するようにしている。
したがって、上記構成のデータ通信装置によれば、表示装置上で情報を拡大表示した場合でも、表示情報全体のうち、どの部分を拡大表示しているかをユーザが容易に認識することができる。
【００１１】
【発明の実施の形態】
以下、図面を参照して、この発明の一実施形態について説明する。
この発明に係わるデータ通信装置は、図１に示すように、制御部１００、ネットワーク接続部１０１、赤外線受光部１０２、ＲＯＭ１０３、ハードディスク１０４、フラッシュメモリ１０５、ＲＡＭ１０６、画像／音声データ処理部１０７、ビデオ信号生成部１０８を備える。
【００１２】
ネットワーク接続部１０１は、モデムＭＯＤを介してインターネットやイントラネットなどのネットワークＮＷを通じて、このネットワークを通じて通信可能なサーバ装置（図示しない）とデータ通信を行うものであって、後述する制御部１００によって制御される。
【００１３】
赤外線受光部１０２は、ユーザが操作する赤外線リモートコントローラ（以下、赤外線リモコンと略称する）ＲＴから発せられる赤外線信号を受信し、ユーザからの指示や要求を受け付けて、これを制御部１００に通知するものである。
なお、上記赤外線リモコンＲＴは、英数字が割り当てられた複数のキースイッチや、方向を指示するための方向キーなどを備える。図２は、通常の運用時のキーのアサインを示すもので、ユーザが所定の操作を施すことにより、数字キーＮのアサインは、図３に示すような、拡大表示の位置指定を容易に行うためのアサインに変更される。
【００１４】
ＲＯＭ１０３は、制御部１００の制御プログラム、ブラウザなどのアプリケーションソフトウェアや制御データを記憶する。
ハードディスク１０４は、アプリケーションソフトウェアや種々の情報を記憶するのに用いられる。
【００１５】
フラッシュメモリ１０５は、主として、制御部１００によって収集された情報を記憶するのに用いられる。
ＲＡＭ１０６は、制御部１００がデータ処理に用いる作業領域として用いられる。
【００１６】
画像／音声データ処理部１０７は、制御部１００から与えられる表示データや画像データ（静止画像・動画像）、音声データ、音楽データをデコードして画像信号および音声信号を生成し、上記画像信号をビデオ信号生成部１０８に出力するとともに、上記音声信号をスピーカＳＰより拡声出力する。
【００１７】
ビデオ信号生成部１０８は、画像／音声データ処理部１０７から入力される画像信号に基づいてビデオ信号を生成し、テレビジョン受像機ＴＶに出力してこれに画像を映示する。
【００１８】
制御部１００は、当該データ通信装置の各部を統括して制御するものであって、ＲＯＭ１０３やハードウェアディスク１０４に記録されるプログラムにしたがって、ネットワークＮＷを通じてデータ通信する制御機能や、この機能により受信した種々のデータファイルを再生したり、ホームページを閲覧する再生制御機能、時刻を計時するクロック機能などを備える。
【００１９】
次に、上記構成のデータ通信装置の動作について説明する。なお、以下の説明では、この発明にかかわるホームページデータの閲覧制御について説明する。この制御は、制御部１００により、図４に示すフローチャートにしたがってなされる。
【００２０】
電源が投入され、ホームページを閲覧するためのアプリケーションソフトウェアを起動すると、このソフトウェアのプログラムがＲＯＭ１０３からＲＡＭ１０６に読み出されて実行される。
【００２１】
まず、ステップ４ａにおいて制御部１００は、ユーザからの要求に応じて、初期設定を行う。ここでは、赤外線リモコンＲＴを操作するユーザから、表示している情報の位置を示すガイド表示を行うか否か、またガイド表示を行う場合の表示時間、ガイド表示の種別、拡大表示の倍率などが指定され、これを受け付けると、ステップ４ｂに移行する。
【００２２】
ステップ４ｂにおいて制御部１００は、ネットワーク接続部１０１およびモデムＭＯＤを制御して、ネットワークＮＷを通じてサーバ装置と通信し、赤外線受光部１０２を通じて赤外線リモコンＲＴを操作するユーザから指定されたＵＲＬ（Ｕｎｉｆｏｒｍ  Ｒｅｓｏｕｒｃｅ  Ｌｏｃａｔｏｒ）のホームページのデータを読み込む。そして、画像／音声データ処理部１０７およびビデオ信号生成部１０８を制御して、テレビジョン受像機ＴＶにホームページを表示し、ステップ４ｃに移行する。なお、この時、テレビジョン受像機ＴＶの画面上において、ブラウザの表示領域Ｂに表示されるホームページの一例を図５に示す。
【００２３】
ステップ４ｃにおいて制御部１００は、赤外線受光部１０２の受信状況を監視し、赤外線リモコンＲＴを操作するユーザから拡大表示の指示（拡大する領域の指定）が生じたか否かを判定する。ここで、指示が生じなかった場合には、ステップ４ｂに移行し、一方、上記指示が生じた場合には、ステップ４ｄに移行する。
【００２４】
ステップ４ｄにおいて制御部１００は、画像／音声データ処理部１０７およびビデオ信号生成部１０８を制御して、表示しているホームページのうち、ステップ４ｃで指定された領域を拡大表示し、ステップ４ｅに移行する。
なお、ここで行われる拡大表示は、表示しているホームページ全体をステップ４ａで受け付けた拡大表示の倍率に応じて分割し、この分割された領域のうちユーザが指定するものを、ブラウザの表示領域いっぱいに表示する。図６は、ブラウザの表示領域Ｂを６分割する場合の例であり、図７は、ユーザが図６の表示例の左上を指定することで、これをブラウザの表示領域Ｂいっぱいに拡大表示した場合を示している。
【００２５】
ステップ４ｅにおいて制御部１００は、ステップ４ａで受け付けたガイド表示の種別が相対表示モードの場合にはステップ４ｆに移行し、一方、ステップ４ａで受け付けたガイド表示の種別がアイコン表示モードの場合にはステップ４ｇに移行する。
【００２６】
ステップ４ｆにおいて制御部１００は、画像／音声データ処理部１０７およびビデオ信号生成部１０８を制御して、相対表示モードによるガイド表示を行うとともに、タイマを起動し、ステップ４ｈに移行する。この相対表示モードによるガイド表示では、ブラウザの表示領域をホームページ全体に見立て、ステップ４ｄで拡大表示した部分に対応する領域に、網掛け表示などのＯＳＤ（Ｏｎ  Ｓｃｒｅｅｎ  Ｄｉｓｐｌａｙ）を行う。
例えば、図８は、図６に示したように、ブラウザの表示領域Ｂを６分割した表示のうち、右列中段を拡大表示した場合を示すものであるが、この場合には、右列中段の領域を拡大表示していることを示すために、ブラウザの表示領域Ｂを６分割したもののうち、右列中段に網掛け表示Ｓを行う。同様に、図９は、左列上段を拡大表示した場合の表示例であって、左列上段に相当する部分に網掛け表示Ｓを行っている。
【００２７】
ステップ４ｇにおいて制御部１００は、画像／音声データ処理部１０７およびビデオ信号生成部１０８を制御して、アイコン表示モードによるガイド表示を行うとともに、タイマを起動し、ステップ４ｈに移行する。このアイコン表示モードによるガイド表示では、ステップ４ｄで拡大表示した部分を示すアイコンをＯＳＤ表示する。
例えば、図１０は、図６に示した表示のうち、ブラウザの表示領域Ｂを６分割した表示の左列上段を、ブラウザの表示領域Ｂいっぱいに拡大表示した場合を示すものであるが、この場合には、左列上段の領域を拡大表示していることを示すために、図１１に示すようなアイコンＩをＯＳＤ表示する。
【００２８】
ステップ４ｈにおいて制御部１００は、ステップ４ｆあるいはステップ４ｇで起動したタイマのカウント値を検出する。そして、この値がステップ４ａで設定した時間を経過したことを示す場合には、タイマを停止させてステップ４ｊに移行し、一方、経過していない場合には、ステップ４ｉに移行する。
【００２９】
ステップ４ｉにおいて制御部１００は、赤外線受光部１０２を通じて赤外線リモコンＲＴを操作するユーザから、別のＵＲＬのホームページを閲覧する要求や拡大表示を終了する要求など、何らかの要求が与えられたか否かを判定する。ここで、何らかの要求がユーザから与えられた場合には、ステップ４ｊに移行し、一方、何も要求が与えられない場合には、ステップ４ｈに移行する。
【００３０】
ステップ４ｊでは、画像／音声データ処理部１０７およびビデオ信号生成部１０８を制御して、ステップ４ｆあるいはステップ４ｇで開始したガイド表示を終了し、ステップ４ｂに移行する。
【００３１】
以上のように、上記構成のデータ通信装置では、ホームページを拡大表示する場合に、その表示位置を示すガイド表示を表示しているホームページ上に行うようにしている。
したがって、上記構成のデータ通信装置によれば、ホームページなどの表示情報を拡大表示した場合でも、表示情報全体のうち、どの部分を拡大表示しているかをユーザが容易に認識することができる。
また、上記構成のデータ通信装置では、予め設定された時間が経過したり、ユーザからの要求をきっかけに、ガイド表示を終了するようにしているので、ガイド表示を終了させるためのユーザ操作が不要であり、利便性が高い。
【００３２】
なお、この発明は上記実施形態そのままに限定されるものではなく、実施段階ではその用紙を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００３３】
例えば、上記実施の形態では、ブラウザの表示領域を６分割する場合を例に挙げて説明しているが、２分割や４分割、８分割、１０分割…など、６分割に限定されるものではない。
その他、この発明の要旨を逸脱しない範囲で種々の変形を施しても同様に実施可能であることはいうまでもない。
【００３４】
【発明の効果】
以上述べたように、この発明では、拡大表示制御手段によって拡大表示された情報の上に重ねて、ネットワークを通じて受信した情報のうち、拡大表示制御手段によって拡大表示された領域の位置を示すガイド情報を表示するようにしている。
【００３５】
したがって、この発明によれば、表示装置上で情報を拡大表示した場合でも、表示情報全体のうち、どの部分を拡大表示しているかをユーザが容易に認識することが可能なデータ通信装置を提供できる。
【図面の簡単な説明】
【図１】この発明に係わるデータ通信装置の一実施形態の構成を示す回路ブロック図。
【図２】図１に示したデータ通信装置の赤外線リモコンのキーアサインの一例を示す図。
【図３】図１に示したデータ通信装置の赤外線リモコンのキーアサインの一例を示す図。
【図４】図１に示したデータ通信装置のホームページ閲覧時のガイド表示に係わる制御を説明するためのフローチャート。
【図５】図１に示したテレビジョン受像機ＴＶにブラウザを通じて表示されるホームページの一例を示す図。
【図６】図１に示したテレビジョン受像機ＴＶにブラウザを通じて表示されるホームページの拡大領域の分割例を説明するための図。
【図７】図１に示したテレビジョン受像機ＴＶにブラウザを通じて拡大表示されたホームページの一例を示す図。
【図８】図１に示したテレビジョン受像機ＴＶにブラウザを通じて拡大表示されたホームページであって、相対表示モードによるガイド表示の一例を示す図。
【図９】図１に示したテレビジョン受像機ＴＶにブラウザを通じて拡大表示されたホームページであって、相対表示モードによるガイド表示の一例を示す図。
【図１０】図１に示したテレビジョン受像機ＴＶにブラウザを通じて拡大表示されたホームページであって、アイコン表示モードによるガイド表示の一例を示す図。
【図１１】アイコン表示モードによるアイコンの一例を示す図。
【符号の説明】
１００…制御部、１０１…ネットワーク接続部、１０２…赤外線受光部、１０３…ＲＯＭ、１０４…ハードディスク、１０５…フラッシュメモリ、１０６…ＲＡＭ、１０７…画像／音声データ処理部、１０８…ビデオ信号生成部、赤外線リモートコントローラ、ＭＯＤ…モデム、ＮＷ…ネットワーク、ＴＶ…テレビジョン受像機、ＳＰ…スピーカ。
【図１】
2004295362.tif 000003
【図２】
2004295362.tif 000004
【図３】
2004295362.tif 000005
【図４】
2004295362.tif 000006
【図５】
2004295362.tif 000007
【図６】
2004295362.tif 000008
【図７】
2004295362.tif 000009
【図８】
2004295362.tif 000010
【図９】
2004295362.tif 000011
【図１０】
2004295362.tif 000012
【図１１】
2004295362.tif 000013